(57)【特許請求の範囲】
【請求項１】
新規通帳を保持する一つ以上の収納部と、通帳の交換時に前記収納部から新規通帳を挿入する新規通帳挿入部と、通帳の表紙側または裏表紙側の少なくとも一方の側に貼付されている磁気情報を読み取る磁気読取部と、通帳を互いに１８０度異なる第１の方向および第２の方向にそれぞれめくる第１および第２のめくり部と、天地が逆になるように通帳紙面を含む平面内で通帳を回転させる天地ターン部とを含む通帳発行装置であって、
前記新規通帳挿入部が一冊の前記新規通帳を挿入したときに、前記挿入された新規通帳の前記磁気読取部による前記磁気情報の読取り状態および前記第１または第２のめくり部の少なくとも一方でのめくり状態を判定することにより、前記挿入された新規通帳の天地の方向および表裏の方向が正しい方向か否かを判定する挿入方向判定部と、
前記判定の結果に基づいて、前記挿入された新規通帳の天地の方向および表裏の方向が前記正しい方向に揃うように、前記第１および第２のめくり部ならびに前記天地ターン部を制御する挿入方向制御部と、
を備えることを特徴とする通帳発行装置。
【請求項２】
前記収納部は、前記新規通帳が任意の天地の方向または表裏の方向で挿入されることを許容する、
ことを特徴とする請求項１に記載の通帳発行装置。
【請求項３】
前記挿入方向判定部は、前記磁気読取部が前記挿入された新規通帳の第１の側に貼付されている磁気情報を読み取れないことを判定することにより、前記挿入された新規通帳の天地の方向および表裏の方向の少なくとも一つが前記正しい方向ではないことを判定することを特徴とする請求項１に記載の通帳発行装置。
【請求項４】
前記挿入方向判定部は、請求項３に記載の判定の後さらに、前記第１のめくり部が前記挿入された新規通帳をめくれるか否かを判定することにより、前記挿入された新規通帳に関して前記表裏の方向のみが前記正しい方向ではないかまたは少なくとも前記天地の方向が前記正しい方向ではないかを判定することを特徴とする請求項３に記載の通帳発行装置。
【請求項５】
前記挿入方向判定部が、請求項４に記載の判定の後、前記挿入された新規通帳に関して少なくとも前記天地の方向が前記正しい方向ではないと判定した場合に、前記挿入方向制御部は、前記天地ターン部を制御して前記挿入された新規通帳の天地の方向を逆にさせ、その後、前記挿入方向判定部は、前記磁気読取部が前記挿入された新規通帳の前記第１の側に貼付されている磁気情報を読み取れることを判定しまたは見返し頁の科目を判定することにより、前記挿入された新規通帳の前記天地の方向のみが前記正しい方向ではなかった方向が前記正しい方向に矯正されたと判定することを特徴とする請求項４に記載の通帳発行装置。
【請求項６】
前記挿入方向判定部が、請求項４に記載の判定の後、前記挿入された新規通帳に関して少なくとも前記天地の方向が前記正しい方向ではないと判定した場合に、前記挿入方向制御部は、前記天地ターン部を制御して前記挿入された新規通帳の天地の方向を逆にさせ、その後、前記挿入方向判定部は、前記磁気読取部が前記挿入された新規通帳の前記第１の側に貼付されている磁気情報を読み取れないことを判定しまたは見返し頁の科目を判定することにより、前記挿入された新規通帳の前記天地の方向および前記表裏の方向の両方が前記正しい方向ではないと判定することを特徴とする請求項４に記載の通帳発行装置。
【請求項７】
前記挿入状態判定部が前記挿入された新規通帳の前記天地の方向および前記表裏の方向の両方が前記正しい方向ではないと判定した場合に、前記挿入方向制御部は、前記天地ターン部を制御して前記挿入された新規通帳の天地の方向を逆にさせるとともに、前記第１または第２のめくり部を制御して前記挿入された新規通帳を表紙の頁までめくらせることにより、前記挿入された新規通帳の前記天地の方向および前記表裏の方向の両方を前記正しい方向に矯正することを特徴とする請求項６に記載の通帳発行装置。
【請求項８】
前記挿入方向判定部が、請求項４に記載の判定の後、前記挿入された新規通帳に関して前記表裏の方向のみが前記正しい方向ではないと判定した場合に、前記挿入方向制御部は、前記第１または第２のめくり部を制御して前記挿入された新規通帳を表紙の頁までめくらせるとともに、前記天地ターン部を制御して前記挿入された新規通帳の天地の方向を逆にさせることにより、前記挿入された新規通帳の前記表裏の方向を前記正しい方向に矯正することを特徴とする請求項４に記載の通帳発行装置。
【請求項９】
前記新規通帳の裏表紙側のみに前記磁気情報が貼付されることを特徴とする請求項１に記載の通帳発行装置。
【請求項１０】
前記新規通帳の表紙側および裏表紙側のそれぞれに前記磁気情報が貼付されることを特徴とする請求項１に記載の通帳発行装置。
【請求項１１】
前記磁気読取部は、前記新規通帳の表紙側および裏表紙側のそれぞれに貼付された前記磁気情報を２つの読取部を使って個別に読み取ることを特徴とする請求項１０に記載の通帳発行装置。
【請求項１２】
新規通帳を保持する一つ以上の収納部と、旧通帳の交換時に前記収納部から新規通帳を挿入する新規通帳挿入部と、通帳の表紙側または裏表紙側の少なくとも一方の側に貼付されている磁気情報を読み取る磁気読取部と、通帳を互いに１８０度異なる第１の方向および第２の方向にそれぞれめくる第１および第２のめくり部と、天地が逆になるように通帳紙面を含む平面内で通帳を回転させる天地ターン部とを含む装置を用いた通帳発行方法であって、
前記新規通帳挿入部が一冊の前記新規通帳を挿入したときに、前記挿入された新規通帳の前記磁気読取部による前記磁気情報の読取り状態および前記第１または第２のめくり部の少なくとも一方でのめくり状態を判定することにより、前記挿入された新規通帳の天地の方向および表裏の方向が正しい方向か否かを判定し、
前記判定の結果に基づいて、前記挿入された新規通帳の天地の方向および表裏の方向が前記正しい方向に揃うように、前記第１のめくり部、前記第２のめくり部、および前記天地ターン部を制御する、
ことを備えることを特徴とする通帳発行方法。
【請求項１３】
前記収納部は、前記新規通帳が任意の天地の方向または表裏の方向で挿入されることを許容する、
ことを特徴とする請求項１２に記載の通帳発行方法。
【請求項１４】
前記磁気読取部が前記挿入された新規通帳の第１の側に貼付されている磁気情報を読み取れないことを判定することにより、前記挿入された新規通帳の天地の方向および表裏の方向の少なくとも一つが前記正しい方向ではないことを判定することを特徴とする請求項１２に記載の通帳発行方法。
【請求項１５】
請求項１４に記載の判定の後さらに、前記第１のめくり部が前記挿入された新規通帳をめくれるか否かを判定することにより、前記挿入された新規通帳に関して前記表裏の方向のみが前記正しい方向ではないかまたは少なくとも前記天地の方向が前記正しい方向ではないかを判定することを特徴とする請求項１４に記載の通帳発行方法。
【請求項１６】
請求項１５に記載の判定の後、前記挿入された新規通帳に関して少なくとも前記天地の方向が前記正しい方向ではないと判定した場合に、前記天地ターン部を制御して前記挿入された新規通帳の天地の方向を逆にさせ、その後、前記挿入方向判定部は、前記磁気読取部が前記挿入された新規通帳の前記第１の側に貼付されている磁気情報を読み取れることを判定することにより、前記挿入された新規通帳の前記天地の方向のみが前記正しい方向ではなかった方向が前記正しい方向に矯正されたと判定することを特徴とする請求項１５に記載の通帳発行方法。
【請求項１７】
請求項１５に記載の判定の後、前記挿入された新規通帳に関して少なくとも前記天地の方向が前記正しい方向ではないと判定した場合に、前記天地ターン部を制御して前記挿入された新規通帳の天地の方向を逆にさせ、その後、前記磁気読取部が前記挿入された新規通帳の前記第１の側に貼付されている磁気情報を読み取れないことを判定することにより、前記挿入された新規通帳の前記天地の方向および前記表裏の方向の両方が前記正しい方
向ではないと判定することを特徴とする請求項１５に記載の通帳発行方法。
【請求項１８】
前記挿入された新規通帳の前記天地の方向および前記表裏の方向の両方が前記正しい方向ではないと判定した場合に、前記天地ターン部を制御して前記挿入された新規通帳の天地の方向を逆にさせるとともに、前記第１または第２のめくり部を制御して前記挿入された新規通帳を表紙の頁までめくらせることにより、前記挿入された新規通帳の前記天地の方向および前記表裏の方向の両方を前記正しい方向に矯正することを特徴とする請求項１７に記載の通帳発行方法。
【請求項１９】
請求項１５に記載の判定の後、前記挿入された新規通帳に関して前記表裏の方向のみが前記正しい方向ではないと判定した場合に、前記天地ターン部を制御して前記挿入された新規通帳の天地の方向を逆にさせるとともに、前記第１または第２のめくり部を制御して前記挿入された新規通帳を表紙の頁までめくらせることにより、前記挿入された新規通帳の前記表裏の方向を前記正しい方向に矯正することを特徴とする請求項１５に記載の通帳発行方法。
【発明の詳細な説明】
【技術分野】
【０００１】
本発明は、現金自動預け払い機や通帳記帳機において通帳の自動繰越を行うための通帳発行装置および方法に関する。
【背景技術】
【０００２】
通帳の自動繰越機能を備えた現金自動預け払い機や通帳記帳機が普及している。このような機械においては、挿入した通帳における記帳が通帳の末尾に達すると、旧通帳から新規通帳への自動繰越しが行われ、新規通帳が自動的に発行される。これを実現するために、現金自動預け払い機や通帳記帳機は、通帳発行装置を内蔵している。【０００３】
通帳発行装置は少なくとも、新規通帳を保持するカセットと、通帳の交換時にカセットから新規通帳を挿入するインサータを備える。カセットは、１つ以上、例えばフロントおよびリアの２つから構成され、それぞれに対してインサータが設置される。【０００４】
ここで、インサータは、カセットからの新規通帳の挿入時に、新規通帳の天地および表裏の方向が新規通帳への印字を行う印字ヘッドとの関係で正しい方向になるように、挿入される必要がある。このため、従来は、銀行員等がカセットに新規通帳をセットするときに、天地および表裏の方向を正しくセットする必要があり、誤った方向にセットされた場合、例えば表紙に印字すべき文字が裏表紙に印字されてしまったりするという問題点を有していた。【０００５】
従来技術として、通帳の表紙、裏表紙や各頁を印字するために通帳をめくる手段を備えた技術が知られている（例えば特許文献１、２、３に記載の技術）。【０００６】
また、他の従来技術として、装置内に通帳の方向が誤って挿入された場合に通帳の方向が正しくなるように回転または反転させる手段を備えた技術が知られている（例えば特許文献１、２に記載の技術）。【０００７】
しかし、これらの従来技術はいずれも外部から装置内に挿入される既存の通帳を処理するための技術であり、カセットにセットされた新規通帳の方向を矯正させるような手段は備えていなかった。
【先行技術文献】
【特許文献】
【０００８】
【特許文献１】実開平０１−１６３４５号公報
【特許文献２】特開平０１−１７５６９４号公報
【特許文献３】特開平１０−２５８５８９号公報
【発明の開示】
【０００９】
本発明は、収納部から挿入された新規通帳の天地または表裏の方向を矯正可能とすることを目的とする。
【００１０】
態様の一例は、新規通帳を保持する一つ以上の収納部と、通帳の交換時に収納部から新規通帳を挿入する新規通帳挿入部と、通帳の表紙側または裏表紙側の少なくとも一方の側に貼付されている磁気情報を読み取る磁気読取部と、通帳を互いに１８０度異なる第１の方向および第２の方向にそれぞれめくる第１および第２のめくり部と、天地が逆になるように通帳紙面を含む平面内で通帳を回転させる天地ターン部とを含む通帳発行装置であって、新規通帳挿入部が一冊の新規通帳を挿入したときに、挿入された新規通帳の磁気読取部による磁気情報の読取り状態および第１または第２のめくり部の少なくとも一方でのめくり状態を判定することにより、挿入された新規通帳の天地の方向および表裏の方向が正しい方向か否かを判定する挿入方向判定部と、判定の結果に基づいて、挿入された新規通帳の天地の方向および表裏の方向が正しい方向に揃うように、第１および第２のめくり部ならびに天地ターン部を制御する挿入方向制御部とを備える。
【００１１】
以上の構成により、収納部から挿入された新規通帳の天地または表裏の方向を矯正することが可能となる。
【図面の簡単な説明】
【００１２】
【図１】通帳発行装置の一般的なハードウェア構成図である。
【図２】正側めくりローラおよび逆側めくりローラの動作説明図である。
【図３】天地ターン部の動作説明図である。
【図４】新規通帳の正しい挿入方向の説明図である。
【図５】新規通帳の誤った挿入方向の説明図である。
【図６】本実施形態のブロック図である。
【図７】本実施形態のシステム構成図である。
【図８】第１の実施形態における通常取引の制御処理を示すフローチャートである。
【図９】第１の実施形態の制御処理(判定処理）を示すフローチャートである。
【図１０】第１の実施形態の制御処理(天地逆対応処理）を示すフローチャートである。
【図１１】第１の実施形態の制御処理(裏面対応処理）を示すフローチャートである。
【図１２】第２の実施形態における通帳の仕様例を示す図である。
【図１３】第２の実施形態における通常取引の制御処理（その１）を示すフローチャートである。
【図１４】第２の実施形態における通常取引の制御処理（その２）を示すフローチャートである。
【図１５】第２の実施形態の制御処理(判定処理）を示すフローチャートである。
【図１６】第２の実施形態の制御処理(天地逆対応処理）を示すフローチャートである。
【図１７】第２の実施形態の制御処理(裏面対応処理）を示すフローチャートである。
【発明を実施するための形態】
【００１３】
以下、本発明を実施するための形態について図面を参照しながら詳細に説明する。
図１は、通帳発行装置の一般的なハードウェア構成図である。
【００１４】
カセットＦ（１番／２番カセット）１０１およびカセットＲ（３番／４番カセット）１０２はそれぞれ、新規通帳１０３を保持する収納部である。カセットＦ（１番／２番カセット）１０１は、１番および２番のカセットボックスを備え、正しい方向としては新規通帳１０３の天地の方向が閉じ側１１６が下向きになるように、また表裏の方向が表紙側が印字・めくり機構部１０７側になるようにセットされる。カセットＲ（３番／４番カセット）１０２は、３番および４番のカセットボックスを備え、正しい方向としては新規通帳１０３の天地の方向が閉じ側１１６が上向きになるように、また表裏の方向が表紙側が印字・めくり機構部１０７側になるようにセットされる。
【００１５】
インサータＦ  １０４およびインサータＲ  １０５はそれぞれ、カセットＦ（１番／２番カセット）１０１およびカセットＲ（３番／４番カセット）１０２にセットされている新規通帳１０３を取り出して、印字・めくり機構部１０７に挿入する新規通帳挿入部である。インサータＦ  １０４およびインサータＲ  １０５は、各カセットＦ（１番／２番カセット）１０１およびカセットＲ（３番／４番カセット）１０２内で押え板１１５と中央のローラを使って、各カセット内の新規通帳１０３を印字・めくり機構部１０７側に押し出す。通帳挿入部１１４から挿入されている通帳における記帳が通帳の末尾に達すると、旧通帳から新規通帳への自動繰越しが行われる。このとき、インサータＦ  １０４またはインサータＲ  １０５のいずれかが動作して、一冊の新規通帳１０３が印字・めくり機構部１０７に挿入される。
【００１６】
インサータＦ  １０４内に設けられるＭＳユニット１０６は、既存の通帳または新規通帳１０３の表紙側または裏表紙側の少なくとも一方の側に貼付されている磁気情報を読み取る磁気読取部である。
【００１７】
インサータＲ  １０５内に設けられる天地ターン部１１０は、天地が逆になるように通帳紙面を含む平面内で通帳を例えば１８０度回転させる機構である。この天地ターン部１１０は、もともとは通帳挿入部１１４より挿入された既存の通帳の向きが正しくないときに、その向きを矯正する目的で備えられる機構であるが、本実施形態では、新規通帳１０３の向きを矯正する機能も備える。
【００１８】
印字・めくり機構部１０７は、正側めくりローラ１０８、逆側めくりローラ１０９、印字ヘッド１１２、およびスキャナ１１３を備える。正側めくりローラ１０８および逆側めくりローラ１０９はそれぞれ、通帳を互いに１８０度異なる第１の方向および第２の方向にめくる第１および第２のめくり部である。正側めくりローラ１０８および逆側めくりローラ１０９は、もともとは既存の通帳または新規通帳１０３の表紙、裏表紙や各頁を印字するための機構であるが、本実施形態では、新規通帳１０３の向きを矯正する機能も備える。
【００１９】
印字ヘッド１１２は、正側めくりローラ１０８または逆側めくりローラ１０９によって開かれた通帳の頁に、必要な情報を印字する。
【００２０】
スキャナ１１３は、外部からの命令に基づいて、通帳の必要な頁をスキャンして画像データとして外部に出力する。このスキャナ１１３は、印字済み行の検知、頁マークの検知、印字後の印字確認等の目的で動作する。
【００２１】
退避部１１１は、通帳挿入部１１４から挿入されている旧通帳から新規通帳１０３への自動繰越しが行われるときに、印字・めくり機構部１０７から旧通帳を退避させる。そして、退避部１１１は、新規通帳１０３が発行されて通帳挿入部１１４から送出された後に、退避させていた旧通帳を、通帳挿入部１１４から外部の利用者に返却させる。
【００２２】
図１のハードウェア構成を有する通帳発行装置において、新規通帳１０３が発行される処理の概略は、以下の通りである。まず、特には図示しない上位機能ブロックより、各コマンドが送信されて、図１の装置が動作する。通帳挿入部１１４より旧通帳が挿入されると、ＭＳユニット１０６を使って旧通帳上の例えば裏表紙に貼付されている磁気情報がリードされ、旧通帳内の頁への印字が印字ヘッド１１２を使って行われる。そして、旧通帳において全頁の印字が完了したことがスキャナ１１３等を介して検出されると、新規通帳１０３の発行処理に移行する。まず、旧通帳の表紙が閉じられ、表紙にボイド（使用済み）が印字される。次に、旧通帳が、退避部１１１へ移動させられる。そして、インサータＦ  １０４またはインサータＲ  １０５が動作し、カセットＦ（１番／２番カセット）１０１またはカセットＲ（３番／４番カセット）１０２のいずれかより、新規通帳１０３が印字・めくり機構部１０７に挿入される。次に、ＭＳユニット１０６によって新規通帳１０３の例えば裏表紙に貼付されている磁気情報がリードされ、または正側めくりローラ１０８によって新規通帳１０３の表紙がめくられて表紙見返り頁の通帳種別がスキャナ１１３によって読み取られる。種別でＯＫの場合、逆側めくりローラ１０９によって新規通帳１０３の表紙が閉じられ、印字ヘッド１１２によって新規通帳１０３の表紙への印字が行われる。以降、各頁が正側めくりローラ１０８によってめくられながら各頁への印字が実行され、最後に、例えば裏表紙に貼付されている磁気情報がＭＳユニット１０６によって更新される。そして、新規通帳１０３が通帳挿入部１１４より外部の利用者に提供される。その後、退避部１１１に退避させられていた旧通帳の例えば裏表紙に貼付されている磁気情報がＭＳユニット１０６によって消去された後、その旧通帳が通帳挿入部１１４より外部の利用者に返却される。
【００２３】
図２は、図１の正側めくりローラ１０８および逆側めくりローラ１０９の動作説明図である。通帳２０１は、正側めくりローラ１０８と逆側めくりローラ１０９に挟まれるようにセットされる。そして、（ａ）に示されるように、通帳２０１の閉じ側（天側）２０２が逆側めくりローラ１０９側にくるように正しい方向でセットされた場合には、通帳２０１の開き側（地側）２０３は正側めくりローラ１０８側にくる。この場合、正側めくりローラ１０８の上側ローラが反時計回りに回転することにより、図２の破線２０４として示されるように通帳２０１の一頁がめくりあげられる。一方、（ｂ）に示されるように、通帳２０１の閉じ側（天側）２０２が正側めくりローラ１０８側にくるように誤った方向でセットされた場合には、開き側（地側）２０３は逆側めくりローラ１０９にくる。この場合、逆側めくりローラ１０９の上側ローラが時計回りに回転することにより、図２の破線２０５として示されるように通帳２０１の一頁がめくりあげられる。正側めくりローラ１０８および逆側めくりローラ１０９の本来の機能は、図１の通帳挿入部１１４から挿入された既存の通帳の向きを矯正して上述のめくり動作を行うものである。本実施形態では、これに加え、図１の新規通帳１０３が、印字・めくり機構部１０７内の正側めくりローラ１０８と逆側めくりローラ１０９に図２（ｂ）の通帳２０１として示されるように誤った方向でセットされた場合でも、その方向の矯正を可能にするものである。このような状態は、後述するように、新規通帳１０３がカセットＦ（１番／２番カセット）１０１またはセットＲ（３番／４番カセット）１０２に天地が誤ってセットされることにより発生する。
【００２４】
図３は、図１の天地ターン部１１０の動作説明図である。この動作は、通帳２０１が、例えば図３（ｂ）に示されるように閉じ側（天側）２０１が誤った方向すなわち天地が誤った方向でセットされた場合に、通帳２０１の天地が逆になるように通帳紙面を含む平面内で通帳２０１を回転させる機能である。この結果、図３（ａ）に示されるように、閉じ側（天側）２０１が、正しい方向すなわち天地が正しい方向に矯正される。天地ターン部１１の本来の機能は、図１の通帳挿入部１１４から挿入された既存の通帳の誤った天地の向きを矯正するものである。本実施形態では、これに加え、図１のインサータＦ  １０４またはインサータＲ  １０５によって挿入された新規通帳１０３の天地および／または表裏の方向が誤っている場合に、新規通帳１０３の向きを矯正することを可能にするものである。
【００２５】
図４は、新規通帳の正しい挿入方向の説明図である。カセットＦ（１番／２番カセット）１０１から新規通帳１０３が印字・めくり機構部１０７に挿入されるとき、図４（ａ）に示されるように、閉じ側１１６が図４の紙面の例えば右側（印字・めくり機構部１０７の側）に向くようにして挿入される必要がある。また、カセットＲ（３番／４番カセット）１０２から新規通帳１０３が印字・めくり機構部１０７に挿入されるとき、図４（ｂ）に示されるように、開き側（地側）４０１が図４の例えば紙面の左側（印字・めくり機構部１０７の側）に向くようにして挿入される必要がある。つまり、新規通帳１０３が印字・めくり機構部１０７に挿入されるときには、新規通帳１０３の閉じ側（天側）１１６（または開き側（地側）４０１）は、印字ヘッド１１２に対して常に同じ方向を向くように制御がされる必要がある。図４（ａ）および（ｂ）のいずれの場合でも、新規通帳１０３の例えば裏表紙に貼付されている磁気情報は、破線４０２として示されるように図４の紙面に対して裏側の上部に配置されている状態となり、この状態においてのみ、図１のＭＳユニット１０６は正常に磁気情報をリードできる。
【００２６】
ここで、図１に示されるように、カセットＦ（１番／２番カセット）１０１で、新規通帳１０３が、天地の方向が閉じ側１１６が下向きになるように、また表裏の方向が表紙側が印字・めくり機構部１０７側になるようにセットされれば、図４（ａ）の状態が実現される。また、カセットＲ（３番／４番カセット）１０２で、新規通帳１０３が、天地の方向が閉じ側１１７が上向きになるように、また表裏の方向が表紙側が印字・めくり機構部１０７側になるようにセットされれば、図４（ｂ）の状態が実現される。しかしながら、実際の銀行業務の中では、銀行員が新規通帳１０３をカセットＦ（１番／２番カセット）１０１またはカセットＲ（３番／４番カセット）１０２に正しい方向でセットしない可能性がある。
【００２７】
図５は、新規通帳１０３の誤った挿入方向の説明図である。
図５（ａ）は、カセットＦ（１番／２番カセット）１０１およびカセットＲ（３番／４番カセット）１０２のいずれから挿入された新規通帳１０３とも、天地の方向が逆になり、また表裏の方向も逆になっている状態を示している。この状態を、以降、「天地逆セット（裏面セット）の状態」と呼ぶ。この天地逆セット（裏面セット）の状態では、新規通帳１０３の閉じ側１１６は紙面の左側にきてしまい、図１の正側めくりローラ１０８がめくり動作を行えない状態となる。また、新規通帳１０３の磁気情報４０２は、図４の紙面に対して表側の上部に配置されている状態となってしまって、図１のＭＳユニット１０６が正常に磁気情報４０２をリードできない状態となる。
【００２８】
図５（ｂ）は、カセットＦ（１番／２番カセット）１０１およびカセットＲ（３番／４番カセット）１０２のいずれから挿入された新規通帳１０３とも、天地の方向のみが逆になっている状態を示している。表裏の方向は正しい。この状態を、以降、「天地逆セット（表面セット）の状態」と呼ぶ。この天地逆セット（表面セット）の状態では、新規通帳１０３の閉じ側１１６は紙面の左側にきてしまい、図１の正側めくりローラ１０８がめくり動作を行えない状態となる。また、新規通帳１０３の磁気情報４０２は、図４の紙面に対して裏側ではあるが下部に配置されている状態となってしまって、図１のＭＳユニット１０６が正常に磁気情報４０２をリードできない状態となる。
【００２９】
図５（ｃ）は、カセットＦ（１番／２番カセット）１０１およびカセットＲ（３番／４番カセット）１０２のいずれから挿入された新規通帳１０３とも、表裏の方向のみが逆になっている状態を示している。天地の方向は正しい。この状態を、以降、「裏面セットの状態」と呼ぶ。この裏面セットの状態では、新規通帳１０３の閉じ側１１６は紙面の右側にきて正しいため、図１の正側めくりローラ１０８がめくり動作を行える状態となる。しかし、新規通帳１０３の磁気情報４０２は、図４の紙面に対して表側の下部に配置されている状態となってしまって、図１のＭＳユニット１０６が正常に磁気情報４０２をリードできない状態となる。
【００３０】
以上の考察に従えば、新規通帳１０３が印字・めくり機構部１０７に挿入されたときに、ＭＳユニット１０６が正常に磁気情報４０２をリードできない状態であれば、図５（ａ）の天地逆セット（裏面セット）の状態、図５（ｂ）の天地逆セット（表面セット）の状態、または図５（ｃ）の裏面セットの状態のいずれかの誤ったセット状態が発生していると判定できる。
【００３１】
また、新規通帳１０３が印字・めくり機構部１０７に挿入されたときに、ＭＳユニット１０６が正常に磁気情報４０２をリードできない状態であって、かつ正側めくりローラ１０８がめくり動作を行えない状態であれば、図５（ａ）の天地逆セット（裏面セット）の状態または図５（ｂ）の天地逆セット（表面セット）の状態のいずれかの誤ったセット状態が発生していると判定できる。
【００３２】
さらに、新規通帳１０３が印字・めくり機構部１０７に挿入されたときに、ＭＳユニット１０６が正常に磁気情報４０２をリードできない状態であって、かつ正側めくりローラ１０８がめくり動作を行える状態であれば、図５（ｃ）の裏面セットの状態が発生していると判定できる。
【００３３】
以上の知見に基づく通帳発行装置の実施形態は、以下のブロック構成を有する。図６は、通帳発行装置の実施形態のブロック図である。
【００３４】
収納部６０１は、新規通帳６０２を保持する。この収納部６０１は例えば、図１のカセットＦ（１番／２番カセット）１０１および／またはカセットＲ（３番／４番カセット）１０２に対応する。
【００３５】
新規通帳挿入部６０３は、通帳の交換時に収納部６０１から新規通帳６０２を挿入する。この新規通帳挿入部６０３は例えば、図１のインサータＦ  １０４および／またはインサータＲ  １０５に対応する。
【００３６】
磁気読取部６０４は、通帳の表紙側または裏表紙側の少なくとも一方の側に貼付されている磁気情報を読み取る。この磁気読取部６０４は例えば、図１のＭＳユニット１０６に対応する。
【００３７】
第１および第２のめくり部６０５、６０６は、通帳を互いに１８０度異なる第１の方向および第２の方向にそれぞれめくる。この第１および第２のめくり部６０５、６０６は例えば、図１の正側めくりローラ１０８および逆側めくりローラ１０９に対応する。
【００３８】
天地ターン部６０７は、天地が逆になるように通帳紙面を含む平面内で通帳を回転させる。この天地ターン部６０７は例えば、図１の天地ターン部１１０に対応する。
【００３９】
挿入方向判定部６０８は、新規通帳挿入部６０３が一冊の新規通帳６０２を挿入したときに、挿入された新規通帳６０２の磁気読取部６０４による磁気情報の読取り状態および第１または第２のめくり部６０５、６０６の少なくとも一方でのめくり状態を判定する。これにより、挿入方向判定部６０８は、挿入された新規通帳６０２の天地の方向および表裏の方向が正しい方向か否かを判定する。この挿入方向判定部６０８は例えば、図１のハードウェアに接続されるファームウェア（例えば後述する図７の７０３）の機能として実現される。
【００４０】
挿入方向制御部６０９は、挿入方向判定部６０８での判定の結果に基づいて、挿入された新規通帳６０２の天地の方向および表裏の方向が正しい方向に揃うように、第１および第２のめくり部６０５、６０６ならびに天地ターン部６０７を制御する。この挿入方向制御部は例えば、図１のハードウェアに接続されるファームウェア（例えば後述する図７の７０３）の機能として実現される。
【００４１】
上述の構成において、収納部６０１は、新規通帳６０２が任意の天地の方向または表裏の方向で挿入されることを許容してよい。
【００４２】
そして、挿入方向判定部６０８は例えば、磁気読取部６０４が挿入された新規通帳６０２の第１の側に貼付されている磁気情報を読み取れないことを判定する。これにより、挿入方向判定部６０８は、挿入された新規通帳６０２の天地の方向および表裏の方向の少なくとも一つが正しい方向ではないこと（例えば図５（ａ）、（ｂ）、または（ｃ）の状態）を判定する。
【００４３】
また、挿入方向判定部６０８は例えば、上述の磁気読取部６０４を用いた判定の後さらに、第１のめくり部６０５が挿入された新規通帳６０２をめくれるか否かを判定する。これにより、挿入方向判定部６０８は、挿入された新規通帳６０２に関して表裏の方向のみが正しい方向ではないか（例えば図５（ｃ）の状態）または少なくとも天地の方向が正しい方向ではないか（例えば図５（ａ）または（ｂ）の状態）を判定する。
【００４４】
さらに挿入方向判定部６０８は例えば、上述の第１のめくり部６０５を用いた判定の後、挿入された新規通帳６０２に関して少なくとも天地の方向が正しい方向ではないと判定した場合に、挿入方向制御部６０９は、次の動作を実行する。すなわち挿入方向制御部６０９は、天地ターン部６０７を制御して挿入された新規通帳６０２の天地の方向を逆にさせ、その後、挿入方向判定部６０８は、磁気読取部６０４が挿入された新規通帳６０２の第１の側に貼付されている磁気情報を読み取れることを判定しまたは見返り頁の科目を判定する。これにより、挿入方向判定部６０８は、挿入された新規通帳６０２の天地の方向のみが正しい方向ではなかった方向が正しい方向に矯正されたと判定する。
【００４５】
一方、挿入方向判定部６０８は例えば、上述の天地ターン動作の後の磁気読取部６０４による磁気情報の読取りができないと判定した場合または見返し頁の科目を判定することで、挿入された新規通帳６０２の天地の方向および表裏の方向の両方が正しい方向ではないと判定する。この場合、挿入方向制御部６０９は例えば、天地ターン部６０７を制御して挿入された新規通帳６０２の天地の方向を逆にさせるとともに、第１または第２のめくり部６０５、６０６を制御して挿入された新規通帳６０２を表紙の頁までめくらせる。これにより、挿入方向制御部６０９は、挿入された新規通帳６０２の天地の方向および表裏の方向の両方を正しい方向に矯正する。
【００４６】
挿入方向判定部６０８は例えば、最初に磁気読取部６０４が挿入された新規通帳６０２の第１の側に貼付されている磁気情報を読み取れないことを判定した後、第１のめくり部６０５が挿入された新規通帳６０２をめくれると判定して、挿入された新規通帳６０２に関して表裏の方向のみが正しい方向ではないと判定した場合に、次の動作を実行する。すなわち、挿入方向制御部６０９は、第１または第２のめくり部６０５、６０６を制御して挿入された新規通帳６０２を表紙の頁までめくらせるとともに、天地ターン部６０７を制御して挿入された新規通帳６０２の天地の方向を逆にさせる。これにより、挿入方向制御部６０９は、挿入された新規通帳６０２の表裏の方向を正しい方向に矯正する。
【００４７】
以上の図６に示される構成において、新規通帳６０２の裏表紙側のみに磁気情報が貼付されてよい。
【００４８】
あるいは、新規通帳６０２の表紙側および裏表紙側のそれぞれに磁気情報が貼付されてよい。この場合、磁気読取部６０４は、新規通帳６０２の表紙側および裏表紙側のそれぞれに貼付された磁気情報を２つの読取部を使って個別に読み取ることを備えてよい。
【００４９】
上述の通帳発行装置の実施形態のブロック構成を具体的な通帳発行の制御処理として実現する第１および第２の実施形態の詳細について、以下に説明する。
【００５０】
図７は、以下に説明する第１および第２の実施形態の制御処理を実現するシステム構成図である。ＡＰＬ（アプリケーション）７０１は、ミドルウェア７０２に指定通帳の指示、印字電文、ＭＳ（磁気情報）ライト電文等を送信するという、概略の指示をする。本実施形態での制御では基本的に、ミドルウェア７０２が、各種コマンドを発行してＰＰＲ（パスブックプリンタ）ファーム７０３へ送信する。そして、ＰＰＲファーム７０３が、図１のハードウェア構成を有するＰＰＲメカ・制御ボード（モータ、センサ、マグネット等）７０４を経由して機械動作を実行し、その結果をＰＰＲファーム７０３からミドルウェア７０２にフィードバックする。
【００５１】
例えば、図１の正側めくりローラ１０８でめくりができる（裏面セットの状態）か否か（天地逆セット（裏面セット）の状態または天地逆セット（表面セット）の状態）を判定する制御処理は、下記の手順で実現される。
１．ミドルウェア７０２が、発行コマンドを送信する（ＮＳ１〜４）。
２．ミドルウェア７０２が、表紙めくりコマンドを送信する（ＡＴ表紙）。
３．ＰＰＲファーム７０３での処理が成功した場合は、ミドルウェア７０２は、レスポンスをＡＰＬ７０１に返信し、次の指示を待つ。ＰＰＲファーム７０３での処理が成功しなかった場合は、ミドルウェア７０２は、逆めくりコマンドを送信する（ＡＴ逆）。
４．ミドルウェア７０２は、見返し確認コマンドを送信する（ＡＴ逆）。ファームで膨らましが出来なかった場合は見返し頁と判断する。もし見返しでなかった場合（膨らましを検知した場合）は、ファームでめくりを繰り返す。
５．ミドルウェア７０２は、表紙閉じコマンドを送信する（ＡＴ表紙閉じ）。
６．通常取引に移行する。
【００５２】
なお、各動作中に機械動作が完了できなかった場合は、ミドルウェア７０２はＡＰＬ７０１にその状態を送信し機械動作エラーとする。
【００５３】
上述の基本動作に基づく、通帳発行の制御処理の第１の実施形態について、以下に詳細に説明する。各制御処理においても、上述の場合と同様のコマンドおよび返信応答の授受が行われるが、以下の説明ではコマンドレベルの詳細な動作は上記例から容易に理解できるため、その詳細は省略する。
【００５４】
まず、図８は、第１の実施形態において、新規通帳１０３（図１）の天地および表裏の方向が正しい方向で図１の印字・めくり機構部１０７に挿入された場合に実行される、通常取引の制御処理を示すフローチャートである。このフローチャートの制御処理は例えば、特には図示しないＣＰＵ（中央演算処理装置）が特には図示しないメモリに記憶された図７のミドルウェア７０２を実行する動作である。以下、随時、図１および図８を参照するものとする。
【００５５】
まず、ＭＳユニット１０６を制御して、新規通帳１０３の磁気情報がリードされる（ステップＳ１０１）。
【００５６】
正側めくりローラ１０８を制御して、新規通帳１０３の表紙がめくられる（ステップＳ１０２）。
【００５７】
スキャナ１１３を制御して、めくられた見返し頁上の見返し頁マークが確認され、通帳種別が認識される（ステップＳ１０３）。
【００５８】
逆側めくりローラ１０９を制御して、新規通帳１０３の表紙が閉じられる（ステップＳ１０４）。
【００５９】
印字ヘッド１１２を制御して、新規通帳１０３の表紙への印字が実行される（ステップＳ１０５）。
【００６０】
正側めくりローラ１０８を制御して、新規通帳１０３の表紙がめくられる（ステップＳ１０６）。
【００６１】
印字ヘッド１１２を制御して見返し頁が印字され、次に、正側めくりローラ１０８を制御して中紙が１枚めくられ、さらに、印字ヘッド１１２を制御して中紙への印字が繰り返される（ステップＳ１０７）。
【００６２】
全ての記帳印字が完了したら、ＭＳユニット１０６を制御して、新規通帳１０３の裏表紙に磁気情報がライトされる（ステップＳ１０８）。
【００６３】
通帳挿入部１１４を制御して、新規通帳１０３が利用者に返却される（ステップＳ１０９）。
【００６４】
図９、図１０、および図１１は、第１の実施形態の通帳発行の制御処理を示すフローチャートである。これらのフローチャートの制御処理は例えば、特には図示しないＣＰＵが特には図示しないメモリに記憶された図７のミドルウェア７０２を実行する動作である。以下、随時、図１および図９を参照するものとする。
【００６５】
まず図９は、第１の実施形態の制御処理(判定処理）を示すフローチャートである。
カセットＦ（１番／２番カセット）１０１またはカセットＲ（３番／４番カセット）１０２に対して新規通帳１０３の発行指示がなされる（ステップＳ２０１）。この結果、インサータＦ  １０４またはインサータＲ  １０５が、カセットＦ（１番／２番カセット）１０１またはカセットＲ（３番／４番カセット）１０２から新規通帳１０３を一冊取り出して印字・めくり機構部１０７に挿入する。
【００６６】
次に、ＭＳユニット１０６を制御して、挿入された新規通帳１０３の磁気情報がリードされ、磁気情報の有無が確認される（ステップＳ２０２）。この制御処理は、図６の挿入方向判定部６０８が磁気読取部６０４が挿入された新規通帳６０２の第１の側に貼付されている磁気情報を読み取れるか否かを判定する機能を実現する。
【００６７】
ステップＳ２０２で磁気情報が有ると判定された場合には、挿入された新規通帳１０３の天地の方向および表裏の方向ともに正しい方向であると判定できるため、通常取引処理が実行される（ステップＳ２０３）。この処理は、図８のフローチャートで示した制御処理である。
【００６８】
ステップＳ２０２で磁気情報が無いと判定された場合には、挿入された新規通帳１０３の天地の方向および表裏の方向の少なくとも一つが正しい方向ではないこと（例えば図５（ａ）、（ｂ）、または（ｃ）の状態）が判定される。
【００６９】
続いて、正側めくりローラ１０８を制御して、挿入された新規通帳１０３をめくれるか否かが判定される（ステップＳ２０４）。この制御処理は、図６の挿入方向判定部６０８が磁気読取部６０４を用いた判定の後さらに第１のめくり部６０５が挿入された新規通帳６０２をめくれるか否かを判定する機能を実現する。
【００７０】
ステップＳ２０４でめくれないと判定された場合には、図５（ａ）の天地逆セット（裏面セット）の状態または図５（ｂ）の天地逆セット（表面セット）の状態であることが判定され、図１０のフローチャートで示される制御処理が実行される。
【００７１】
一方、ステップＳ２０４でめくれると判定された場合には、図５（ｃ）の裏面セットの状態の可能性があることが判定される。この場合にはさらに、めくられた頁の頁マークが左側にあるか否かが判定される（ステップＳ２０５）。例えば通常、頁マーク位置は左側にある。但しユーザ仕様により表紙の見返し頁または裏表紙の見返し頁には頁マークがない場合があるので、正側めくりローラ１０８で中紙１枚めくりを数回行い、頁マークが左側にあることを確認する。その結果、頁マークが左側になかった場合は、図５（ｃ）の裏面セットの状態であることが判定され、図１１のフローチャートで示される制御処理が実行される。
【００７２】
頁マークが左側にあった場合は、新規通帳１０３は正常な方向の状態にあると判定され、逆側めくりローラ１０９を制御して表紙が閉じられた後（ステップＳ２０６）、ステップＳ２０３の通常取引処理が実行される。
【００７３】
図１０は、図９のステップＳ２０４でめくれないと判定され、図５（ａ）の天地逆セット（裏面セット）の状態または図５（ｂ）の天地逆セット（表面セット）の状態であることが判定された場合に実行される制御処理を示すフローチャートである。
【００７４】
まず、天地ターン部６０７が制御されて、新規通帳１０３の天地がターンされる（ステップＳ２０７）。この結果、図５（ａ）または（ｂ）の各状態で、新規通帳１０３が、その紙面を含む平面内で１８０度回転される。この結果、新規通帳１０３が図５（ａ）の天地逆セット（裏面セット）の状態であったならば、閉じ側１１６が図５の紙面上の右側になり、磁気情報４０２は図５の紙面表側の下部になる。一方、新規通帳１０３が図５（ｂ）の天地逆セット（表面セット）の状態であったならば、閉じ側１１６が図５の紙面上の右側になり、磁気情報４０２は図５の紙面裏側の上部になる。
【００７５】
続いて、ＭＳユニット１０６を制御して、挿入された新規通帳１０３の磁気情報がリードされ、磁気情報の有無が確認される（ステップＳ２０８）。
【００７６】
この結果、新規通帳１０３が図５（ｂ）の天地逆セット（表面セット）の状態から天地ターンされた場合には、磁気情報４０２が図５の紙面裏側の上部になり、図４（ａ）または（ｂ）の状態と同じになるため、ステップＳ２０８で磁気情報が有ると判定される。すなわち、図１０の１００１の状態である。その後、図９のステップＳ２０３の通常取引処理が実行される。
【００７７】
以上のステップＳ２０７の天地ターン処理およびステップＳ２０８で磁気情報が有る判定さる制御処理は、次の機能を実現する。すなわち、図６の挿入方向制御部６０９が天地ターン部６０７を制御して挿入された新規通帳６０２の天地の方向を逆にさせ、その後、挿入方向判定部６０８が、新規通帳６０２の第１の側に貼付されている磁気情報を読み取れることを判定する機能を実現する。これにより、挿入された新規通帳６０２の天地の方向のみが正しい方向ではなかった方向が正しい方向に矯正されたと判定される。
【００７８】
一方、新規通帳１０３が図５（ａ）の天地逆セット（裏面セット）の状態から天地ターンされた場合には、磁気情報４０２が図５の紙面表側の下部になり、ステップＳ２０８で磁気情報が無いと判定される。
【００７９】
この場合には、まず天地ターン部６０７が制御されて、ステップＳ２０７で一度天地ターンされた状態からさらに天地ターンされて、元の状態に戻される（ステップＳ２０９）。これで、図５（ｂ）の天地逆セット（裏面セット）の状態に戻る。
【００８０】
次に、逆側めくりローラ１０９が制御されて、表紙見返し頁が確認されるまで、裏表紙および中紙をめくる動作が繰り返し実行される（ステップＳ２１０→Ｓ２１１→Ｓ２１０のループ処理）。
【００８１】
見返し頁まで達したことが判定されると、最後に表紙が閉じられる（ステップＳ２１１→Ｓ２１２）。なお、表紙見返し頁の確認は、中紙のめくり制御で膨らまし（図２の２０５等の状態）ができない場合は見返し頁と判断される。この結果、図５（ａ）の天地逆セット（裏面セット）の状態の状態から、図４（ａ）または（ｂ）の正常状態になる。すなわち、図１０の１００２で示される状態である。その後、図９のステップＳ２０３の通常取引処理が実行される。
【００８２】
以上のステップＳ２０９からＳ２１２までの制御処理は、図６の挿入方向制御部６０９が新規通帳６０２の天地の方向を逆にさせるとともに、第１または第２のめくり部６０５、６０６を制御して挿入された新規通帳６０２を表紙の頁までめくらせる機能を実現する。これにより、挿入された新規通帳６０２の天地の方向および表裏の方向の両方が正しい方向に矯正される。
【００８３】
図１１は、図９のステップＳ２０４でめくれると判定され、さらにステップＳ２０５で頁マーク位置が左側に無いと判定されて、図５（ｃ）の裏面セットの状態であることが判定された場合に実行される制御処理を示すフローチャートである。
【００８４】
まず、正側めくりローラ１０８が制御されて、表紙見返し頁が確認されるまで、中紙をめくる動作が繰り返し実行される（ステップＳ２１３→Ｓ２１４→Ｓ２１３のループ処理）。なお、表紙見返し頁の確認は、中紙のめくり制御で膨らまし（図２の２０４等の状態）ができない場合に見返し頁と判断される。
【００８５】
そして、見返り頁が確認されたら正側めくりローラ１０８が制御されて、表紙が閉じられる（ステップＳ２１５）。
【００８６】
続いて、天地ターン部６０７が制御されて、新規通帳１０３の天地がターンされる（ステップＳ２１６）。
【００８７】
そして、ＭＳユニット１０６が制御されて、新規通帳１０３の磁気情報の有無が確認される（ステップＳ２１７）。
【００８８】
この結果、新規通帳１０３が図５（ｃ）の裏面セットの状態から図４（ａ）または（ｂ）の状態に戻ることができるため、ステップＳ２１７で磁気情報が有ると判定される。すなわち、図１１の１１０１の状態である。その後、図９のステップＳ２０３の通常取引処理が実行される。
【００８９】
以上のステップＳ２１３からＳ２１７までの制御処理は、図６で挿入方向制御部６０９が新規通帳６０２を表紙の頁までめくらせるとともに、新規通帳６０２の天地の方向を逆にさせる機能を実現する。これにより、挿入された新規通帳６０２の表裏の方向が正しい方向に矯正される。
【００９０】
なお、ステップＳ２１７で磁気情報が確認できなかった場合には、装置異常として装置が休止される（ステップＳ２１８）。
【００９１】
図１２は、通帳発行の制御処理の第２の実施形態における通帳の仕様例を示す図である。第２の実施形態は、新規通帳１０３（図１）の表紙側および裏表紙側のそれぞれに磁気情報（磁気ストライプ）１２０１および１２０２が貼付される。これにより一冊の通帳を例えば普通預金通帳と定期預金通帳の両方に使用することができる。例えば、表紙側からめくると普通預金通帳になり、裏表紙側からめくると定期預金通帳になるという如くである。第２の実施形態ではさらに、図１のＭＳユニット１０６が、図１２のＭＳ１およびＭＳ２というように、新規通帳の表紙側および裏表紙側のそれぞれに貼付された磁気情報１２０１および１２０２を２つの読取部を使って個別に読み取る機構を備えている。
【００９２】
以上の機構を備えた新規通帳１０３に対して、第２の実施形態では、その挿入方向が正しくない場合に、その方向を第１の実施形態の場合と同様に矯正することができるものである。
【００９３】
図１３は、第２の実施形態において、新規通帳１０３（図１）の天地および表裏の方向が正しい方向で図１の印字・めくり機構部１０７に挿入された場合に実行される、通常取引の制御処理（その１）を示すフローチャートである。このフローチャートの制御処理は例えば、特には図示しないＣＰＵが特には図示しないメモリに記憶された図７のミドルウェア７０２を実行する動作である。
【００９４】
図１３のフローチャートで示される制御処理は、第１の実施形態における図８のフローチャートで示される制御処理を拡張したものである。図１３において、図８の場合と同じ処理を実行するステップには同じステップ番号を付してある。以下、随時、図１、図８、および図１３を参照するものとする。
【００９５】
まず、ステップＳ１０１′、Ｓ１０２からＳ１０７、およびＳ１０８′は、図８のステップＳ１０１からＳ１０８までの処理と実質的に同じである。ただし、ステップＳ１０１′での磁気情報のリードとステップＳ１０８′での磁気情報のライトは、図１３に示されるように２つある磁気読取部のうちの１つの側の磁気読取部ＭＳ１を使って行われる。これらの処理により、表紙の印字および表紙側の科目の各中紙の印字、および磁気情報のライトが実行される。すなわち、ステップＳ１０１′では、磁気読取部ＭＳ１を制御して、新規通帳１０３の磁気情報がリードされる。また、ステップＳ１０８′では、全ての記帳印字が完了した後、磁気読取部ＭＳ１を制御して、新規通帳１０３の裏表紙に磁気情報がライトされる。
【００９６】
次に、ステップＳ３０１からＳ３０８までの処理は、裏表紙の印字および裏表紙側の科目の各中紙の印字、および磁気情報のライトを実行するための処理で、ステップＳ１０１′、Ｓ１０２からＳ１０７、およびＳ１０８′の各処理と処理方向が逆なだけで、同様である。
【００９７】
すなわちまず、ＭＳユニット１０６の第２の読取部ＭＳ２を制御して、新規通帳１０３の磁気情報がリードされる（ステップＳ３０１）。
【００９８】
逆側めくりローラ１０９を制御して、新規通帳１０３の裏表紙がめくられる（ステップＳ３０２）。
【００９９】
スキャナ１１３を制御して、めくられた裏見返し頁上の見返し頁マークが確認され、通帳種別（例えば定期預金）が認識される（ステップＳ３０３）。
【０１００】
正側めくりローラ１０８を制御して、新規通帳１０３の裏表紙が閉じられる（ステップＳ３０４）。
【０１０１】
印字ヘッド１１２を制御して、新規通帳１０３の裏表紙への印字が実行される（ステップＳ３０５）。この印字は、排出方向への印字であるため、倒立印字となる。
【０１０２】
逆側めくりローラ１０９を制御して、新規通帳１０３の裏表紙がめくられる（ステップＳ３０６）。
【０１０３】
印字ヘッド１１２を制御して裏見返し頁が印字され、次に、逆側めくりローラ１０９を制御して中紙が１枚めくられ、さらに、印字ヘッド１１２を制御して中紙への印字が繰り返される（ステップＳ３０７）。この印字も、排出方向への印字であるため、倒立印字となる。
【０１０４】
全ての記帳印字が完了したら、ＭＳユニット１０６の第２の読取部ＭＳ２を制御して、新規通帳１０３の表紙に磁気情報がライトされる（ステップＳ３０８）。
【０１０５】
以上の処理の後、通帳挿入部１１４を制御して、新規通帳１０３が利用者に返却される（ステップＳ３０９）。
【０１０６】
図１４は、第２の実施形態において、新規通帳１０３の天地および表裏の方向が正しい方向で図１の印字・めくり機構部１０７に挿入された場合に実行される、通常取引の制御処理（その２）を示すフローチャートである。このフローチャートの制御処理は例えば、特には図示しないＣＰＵが特には図示しないメモリに記憶された図７のミドルウェア７０２を実行する動作である。
【０１０７】
図１３の通常取引の制御処理（その１）では、２つの読取部ＭＳ１とＭＳ２が使用されて２つの科目の通帳印字および磁気情報のライトが実行された。これに対して、図１４の通常取引の制御処理（その２）では、図１のＭＳユニット１０６の読取部が第１の実施形態の場合と同様にＭＳの１個のみの場合の実施形態である。ただし、通帳上の磁気情報は、図１２の１２０１および１２０２に示されるように２つである。図１４において、図８の場合と同じ処理を実行するステップには同じステップ番号を付してある。以下、随時、図１、図８、および図１４を参照するものとする。
【０１０８】
まず、ステップＳ１０１からＳ１０８は、図８のステップＳ１０１からＳ１０８までの処理と同じである。これらの処理により、表紙の印字および表紙側の科目の各中紙の印字、および磁気情報のライトが実行される。
【０１０９】
次に、ステップＳ１０８で裏表紙が上面にある状態で、天地ターン部６０７が制御されて、新規通帳１０３の天地がターンされる。
【０１１０】
その後、ステップＳ４０１からＳ４０８までの処理は、裏表紙の印字および裏表紙側の科目の各中紙の印字、および磁気情報のライトを実行するための処理で、ステップＳ１０１からＳ１０８の各処理と処理方向が逆なだけで、同様である。
【０１１１】
すなわちまず、ＭＳユニット１０６の読取部ＭＳを制御して、新規通帳１０３の磁気情報がリードされる（ステップＳ４０１）。
【０１１２】
正側めくりローラ１０９を制御して、新規通帳１０３の裏表紙がめくられる（ステップＳ４０２）。
【０１１３】
スキャナ１１３を制御して、めくられた裏見返し頁上の見返し頁マークが確認され、通帳種別（例えば定期預金）が認識される（ステップＳ４０３）。
【０１１４】
逆側めくりローラ１０９を制御して、新規通帳１０３の裏表紙が閉じられる（ステップＳ４０４）。
【０１１５】
印字ヘッド１１２を制御して、新規通帳１０３の裏表紙への印字が実行される（ステップＳ４０５）。
【０１１６】
正側めくりローラ１０８を制御して、新規通帳１０３の裏表紙がめくられる（ステップＳ４０６）。
【０１１７】
印字ヘッド１１２を制御して裏見返し頁が印字され、次に、正側めくりローラ１０８を制御して中紙が１枚めくられ、さらに、印字ヘッド１１２を制御して中紙への印字が繰り返される（ステップＳ４０７）。
【０１１８】
全ての記帳印字が完了したら、ＭＳユニット１０６の読取部ＭＳを制御して、新規通帳１０３の表紙に磁気情報がライトされる（ステップＳ４０８）。
【０１１９】
以上の処理の後、通帳挿入部１１４を制御して、新規通帳１０３が利用者に返却される（ステップＳ４０９）。
【０１２０】
図１５、図１６、および図１７は、第２の実施形態の通帳発行の制御処理を示すフローチャートである。これらのフローチャートの制御処理は例えば、特には図示しないＣＰＵが特には図示しないメモリに記憶された図７のミドルウェア７０２を実行する動作である。第２の実施形態に関する図１５、図１６、および図１７の動作は、第１の実施形態に関する図９、図１０、および図１１の動作と、ほぼ同様である。図１５、図１６、および図１７において、図９、図１０、および図１１の場合と同じ制御処理を示すステップには同じステップ番号を付してある。以下、随時、図１、図９、図１０、図１１、図１５、図１６、および図１７を参照するものとする。
【０１２１】
まず図１５は、第２の実施形態の制御処理(判定処理）を示すフローチャートである。図１５のフローチャートが図９の第１の実施形態のフローチャートと異なる点は、図９のステップＳ２０２、Ｓ２０３、およびＳ２０５のそれぞれが、図１５のステップＳ５０１，Ｓ５０２、およびＳ５０３に置き換わった点である。また、ステップＳ５０４で正側めくりローラ１０８または逆側めくりローラ１０９を使って表紙または裏紙をめくって見返し頁を開き、ステップＳ５０５で開いた見返し頁の科目を確認する処理に置き換わった点が異なる。これは、複数科目を有する新規通帳１０３では、表紙と裏表紙の両側に磁気情報があるため、磁気情報の有無では表面セット（正常）の状態と裏面セットの状態を区別できないためである。通常表紙側（普通預金）と裏紙側（定期側）では科目が異なるため、見返し頁の科目を判別することにより、表側が参照されているのか、裏側が参照されているのかを判別することができる。
【０１２２】
まず、第１の実施形態では、図９のステップＳ２０２で図１のＭＳユニット１０６の１つの読取部（ＭＳ）を使って磁気情報の有無が確認された。これに対して、第２の実施形態では、図１５のステップＳ５０１で図１のＭＳユニット１０６を構成する図１２の２つの読取部ＭＳ１、ＭＳ２のうちのＭＳ１を使って磁気情報の有無が確認される。さらに、ステップＳ５０４で正側めくりローラ１０８または逆側めくりローラ１０９を使って表紙または裏紙をめくって見返し頁を開き、ステップＳ５０５で開いた見返し頁の科目が確認される。ステップ５０５での判定の結果、表紙側であると判定されたら、ステップＳ５０２が実行され、裏紙側であると判定されたら図１７のフローチャートが実行される。
【０１２３】
次に、第１の実施形態では、図９のステップＳ２０３の通常取引の制御処理の詳細は図８のフローチャートで示されたが、図１５のステップＳ５０２の通常取引の制御処理の詳細は、前述した図１３または図１４のフローチャートの任意のいずれかで示される。
【０１２４】
さらに、第１の実施形態では、図９のステップＳ２０４で正側めくりローラ１０８で新規通帳１０３のめくりができたことが判定された後に、ステップＳ２０５で、頁マークが左側に無いことを確認することにより、裏面セットの状態が判定された。これに対して、第２の実施形態では、図１５のステップＳ２０４で正側めくりローラ１０８で新規通帳１０３のめくりができたことが判定された後に、次の判定が行われる。すなわち、ステップＳ５０３で、図１のＭＳユニット１０６の２つある磁気読取部のうちの他の１つＭＳ２で磁気情報が有ることが確認されることにより、裏面セットの状態が判定される。これは、複数科目を有する新規通帳１０３では、頁マークが両側にあるため、裏面セットの状態でも頁マークが左側で検出されてしまうためである。
【０１２５】
図１６は、第２の実施形態で、図１５のステップＳ２０４でめくれないと判定され、図５（ａ）の天地逆セット（裏面セット）の状態または図５（ｂ）の天地逆セット（表面セット）の状態であることが判定された場合に実行される制御処理を示すフローチャートである。この第２の実施形態のフローチャートは、図１０に示される第１の実施形態の場合と、ステップＳ２０８での磁気有無の確認が、ステップＳ５０４で正側めくりローラ１０８または逆側めくりローラ１０９を使って表紙または裏紙をめくって見返し頁を開き、ステップＳ５０５で開いた見返り頁の科目を確認する処理に置き換わった点が異なる。これは、複数科目を有する新規通帳１０３では、表紙と裏表紙の両側に磁気情報があるため、磁気情報の有無では天地逆セット（表面セット）の状態と天地逆セット（裏面セット）の状態を区別できないためである。通常表紙側（普通預金）と裏紙側（定期側）では科目が異なるため、見返し頁の科目を判別することにより、表側が参照されているのか、裏側が参照されているのかを判別することができる。その他の制御処理は、第１の実施形態の図１０のフローチャートの場合と実質的に同じである。これにより、複数科目を有する新規通帳１０３でも、天地逆セット（表面セット）の状態および天地逆セット（裏面セット）の状態を検出することが可能となる。
【０１２６】
図１７は、図１５のステップＳ２０４でめくれると判定され、さらにステップＳ５０３でＭＳ２リードで磁気有りと判定されて、図５（ｃ）の裏面セットの状態であることが判定された場合に実行される制御処理を示すフローチャートである。この第２の実施形態のフローチャートも、図１１に示される第１の実施形態の場合と、ステップＳ２１７での磁気有無の確認が、ステップＳ５０６では、図１のＭＳユニット１０６の２つある磁気読取部のうちの１つＭＳ１を使って行われる点が異なるだけで、実質的に同じ処理である。これにより、複数科目を有する新規通帳１０３でも、裏面セットの状態を検出することが可能となる。
【図１】
0005560376.tif 000002
【図２】
0005560376.tif 000003
【図３】
0005560376.tif 000004
【図４】
0005560376.tif 000005
【図５】
0005560376.tif 000006
【図６】
0005560376.tif 000007
【図７】
0005560376.tif 000008
【図８】
0005560376.tif 000009
【図９】
0005560376.tif 000010
【図１０】
0005560376.tif 000011
【図１１】
0005560376.tif 000012
【図１２】
0005560376.tif 000013
【図１３】
0005560376.tif 000014
【図１４】
0005560376.tif 000015
【図１５】
0005560376.tif 000016
【図１６】
0005560376.tif 000017
【図１７】
0005560376.tif 000018